Podtech/llm-jp-corpus-v4-ja_patent huggingface dataset:
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技の進行を制御する遊技制御手段と、
遊技の進行に応じた演出を実行可能な演出実行手段と、
複数の演出モードのうちから１の演出モードを選択可能な演出モード選択手段と、
を備え、
前記演出実行手段は、遊技者にとって有利な内容を示唆する示唆演出を実行可能であるとともに、演出に関する所定条件の成立にもとづく所定制限が実行中であることを報知するための制限表示を、複数の異なる表示態様にて表示可能であり、
前記制限表示の表示態様によって前記示唆演出が実行される割合が異なる、
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａに記載の遊技機は、
遊技者にとって有利な有利状態に制御可能な遊技機であって、
遊技の進行を制御する遊技制御手段と、
遊技の進行に応じた演出を実行可能な演出実行手段と、
複数の演出モードのうちから１の演出モードを選択可能な演出モード選択手段と、
を備え、
前記演出実行手段は、遊技者にとって有利な内容を示唆する示唆演出を実行可能であるとともに、演出に関する所定条件の成立にもとづく所定制限が実行中であることを報知するための制限表示を、複数の異なる表示態様にて表示可能であり、
前記制限表示の表示態様によって前記示唆演出が実行される割合が異なる、
ことを特徴としている。
前記課題を解決するために、本発明の手段１に記載の遊技機は、
遊技者にとって有利な有利状態（例えば、大当り遊技状態）に制御可能な遊技機（例えば、パチンコ遊技機１）であって、
遊技者にとって有利な内容を示唆する示唆演出（例えば、演出図柄が大当りを示す組み合わせで導出表示される部分）を実行可能な示唆演出実行手段（例えば、演出制御用ＣＰＵ１２０が可変表示中演出処理を実行する部分）と、
所定条件の成立（例えば、スーパーリーチの変動表示中や先読予告演出の実行の決定）にもとづく所定制限（例えば、演出モードの変更が不可能であること）が実行中であることを報知するための制限表示（例えば、操作制限表示画像１２７ＳＧ００５ｃ）を、複数の異なる表示態様にて表示可能な制限表示手段（例えば、演出制御用ＣＰＵ１２０が図１０−２０に示す演出モード変更操作制限表示演出実行処理を実行する部分）と、
を備え、
前記制限表示の表示態様によって前記示唆演出が実行される割合が異なる（例えば、図１０−１９に示すように、操作制限表示画像１２７ＳＧ００５ｃの大きさや色によって飾り図柄が大当りを示す組み合わせで導出表示される割合が異なっている部分）ことを特徴としている。
この特徴によれば、制限表示に注目させつつ、遊技興趣を向上できる。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
演出音を出力可能な音出力手段と、
画像を表示可能な表示手段と、
前記表示手段の前方側にて位置を変更可能な可動部材と、
前記可動部材の位置を、前記表示手段の前方側における第１位置と第２位置との間で変更可能に制御する可動制御手段と、を備え、
前記音出力手段により出力される演出音として、前記可動部材の位置が前記第２位置から前記第１位置に変更されるときに、特定演出音を出力させ、
前記表示手段の表示として、前記可動部材の位置が前記第１位置であるときに、前記可動部材の周辺に対応する表示位置で特定表示を行い、前記可動部材の位置が前記第２位置に変更されるときに、前記特定表示と前記可動部材との位置関係が維持されるように前記特定表示の表示位置を変更させる、
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、遊技が可能な遊技機（例えばパチンコ遊技機１など）であって、演出音を出力可能な音出力手段と、画像を表示可能な表示手段（例えば画像表示装置５など）と、前記表示手段の前方側にて位置を変更可能な可動部材（例えば可動部材８８ＡＫＡ１など）と、前記可動部材の位置を、前記表示手段の前方側における第１位置（例えば演出画像８８ＡＫＢ１〜８８ＡＫＢ３に対応する位置など）と第２位置（例えば構成例８８ＡＫＰ０における位置など）との間で変更可能に制御する可動制御手段（例えば演出制御用ＣＰＵ１２０など）と、を備え、前記音出力手段により出力される演出音として、前記可動部材の位置が前記第２位置から前記第１位置に変更されるときに、特定演出音を出力させ、前記表示手段の表示として、前記可動部材の位置が前記第１位置であるときに、前記可動部材の周辺に対応する表示位置で特定表示（例えば演出画像８８ＡＫＢ１〜８８ＡＫＢ３の表示など）を行い、前記可動部材の位置が前記第２位置に変更されるときに、前記特定表示と前記可動部材との位置関係が維持されるように前記特定表示の表示位置を変更させる（例えば演出実行例８８ＡＫＤ１３１〜８８ＡＫＤ１３３など）。
このような構成によれば、適切な演出を実行することで遊技興趣を向上させることができる。
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
可変表示を行う遊技機であって、
可変表示に対応する対応表示を表示可能な対応表示手段と、
遊技者による操作手段の操作に基づいて、遊技者が前記対応表示を視認困難または視認不能な状態とする操作演出を実行可能な操作演出実行手段と、
前記対応表示の表示態様を変化させる変化演出を実行可能な変化演出実行手段と、を備え、
前記操作演出実行手段は、前記操作演出として、可動物を動作させることにより前記対応表示を視認困難または視認不能な状態とすることが可能であり、
前記変化演出実行手段は、前記操作演出の実行期間として設定された期間中に前記変化演出を実行可能であり、
前記操作演出が実行されているときに前記変化演出が実行され、前記対応表示の表示態様が変化した後所定期間が経過したときに前記操作演出が終了されることがあり、
前記操作演出が実行されていない場合に、前記対応表示の表示態様が変化するときに、発光手段の発光態様を成功時の態様とし、前記対応表示の表示態様が変化しないときに、前記発光手段の発光態様を失敗時の態様とすることで、前記対応表示の表示態様が変化したか否かを報知し、前記操作演出が実行されている場合に、前記対応表示の表示態様が変化するときと前記対応表示の表示態様が変化しないときとで、前記発光手段の発光態様を共通とすることで、前記対応表示の表示態様が変化したか否かの報知を制限する、
ことを特徴とする遊技機。
【手続補正２】
【補正対象書類名】明細書
【補正対象項目名】０００７
【補正方法】変更
【補正の内容】
【０００７】
（Ａ）可変表示を行う遊技機であって、
可変表示に対応する対応表示を表示可能な対応表示手段と、
遊技者による操作手段の操作に基づいて、遊技者が前記対応表示を視認困難または視認不能な状態とする操作演出を実行可能な操作演出実行手段と、
前記対応表示の表示態様を変化させる変化演出を実行可能な変化演出実行手段と、を備え、
前記操作演出実行手段は、前記操作演出として、可動物を動作させることにより前記対応表示を視認困難または視認不能な状態とすることが可能であり、
前記変化演出実行手段は、前記操作演出の実行期間として設定された期間中に前記変化演出を実行可能であり、
前記操作演出が実行されているときに前記変化演出が実行され、前記対応表示の表示態様が変化した後所定期間が経過したときに前記操作演出が終了されることがあり、
前記操作演出が実行されていない場合に、前記対応表示の表示態様が変化するときに、発光手段の発光態様を成功時の態様とし、前記対応表示の表示態様が変化しないときに、前記発光手段の発光態様を失敗時の態様とすることで、前記対応表示の表示態様が変化したか否かを報知し、前記操作演出が実行されている場合に、前記対応表示の表示態様が変化するときと前記対応表示の表示態様が変化しないときとで、前記発光手段の発光態様を共通とすることで、前記対応表示の表示態様が変化したか否かの報知を制限する、
ことを特徴とする。
（１）上記目的を達成するため、本発明に係る遊技機は、
可変表示を行う遊技機（例えばパチンコ遊技機１など）であって、
可変表示に対応する対応表示を表示可能な対応表示手段（例えばアクティブ表示を行う演出制御用ＣＰＵ１２０など）と、
遊技者による操作手段の操作に基づいて、遊技者が前記対応表示を視認困難または視認不能な状態とする操作演出を実行可能な操作演出実行手段（例えばステップ８６ＡＫＳ１０９の処理を実行する演出制御用ＣＰＵ１２０など）と、
前記対応表示の表示態様を変化させる変化演出を実行可能な変化演出実行手段（例えばステップ８６ＡＫＳ１１１の処理を実行する演出制御用ＣＰＵ１２０など）と、を備え、
前記変化演出実行手段は、前記操作演出の実行期間として設定された期間中に前記変化演出を実行可能であり（例えばタイミング１〜タイミング３のいずれかのタイミングにて前記操作演出が実行されることにより、前記変化演出によって表示態様が変化した前記対応表示を遊技者が視認容易な状態となるタイミングを遅延させることが可能である（操作演出が行われることでアクティブ表示が視認困難となり、遊技者は当該操作演出が終了するまではアクティブ表示を視認できず、結果的に態様が変化したアクティブ表示を視認可能なタイミングが遅延するなど）、
ことを特徴とする。
【手続補正書】
【提出日】令和2年2月20日(2020.2.20)
【手続補正１】
【補正対象書類名】明細書
【補正対象項目名】００１６
【補正方法】変更
【補正の内容】
【００１６】
【図１】本発明の一実施の形態に係る円盤状ガラス基板の斜視図である。
【図２】図１に示す円盤状ガラス基板の左端近傍における断面ＣＳ１を前方から見て拡大して示す図である。
【図３】本発明の一実施の形態に係る円盤状ガラス基板の製造方法に含まれる工程のフローチャートである。
【図４】一実施の形態に係る円盤状ガラス基板の製造方法にて最初に準備される円盤状ガラス素板の斜視図である。
【図５】図４に示す円盤状ガラス素板の左端近傍における断面ＣＳ２を前方から見て拡大して示す図である。
【図６】面取りされた円盤状ガラス素板の左端近傍における断面を前方から見て拡大して示す図である。
【図７】一実施の形態に係る両面研削装置の構成を示す図である。
【図８】本発明の一実施の形態に係る薄板ガラス基板の製造方法に含まれる工程のフローチャートである。
【図９】一実施の形態に係る薄板ガラス基板の製造方法に含まれる切出加工にて円盤状ガラス基板を切断する箇所の一例を示す図である。
【図１０】本発明の一実施の形態に係る導光板の製造方法に含まれる工程のフローチャートである。
【図１１】一実施の形態に係る導光板の製造方法により作製される導光板の一例を示す図である。
【手続補正２】
【補正対象書類名】明細書
【補正対象項目名】００３１
【補正方法】変更
【補正の内容】
【００３１】
本実施の形態に係る円盤状ガラス基板１００は、１つ又は複数の薄板ガラス基板を切り出すための中間体である。また、円盤状ガラス基板１００は、外周端面１０２ａ及び面取り面１０３ａ，１０３ｂを除く部分の板厚が１００［μｍ］〜３５０［μｍ］、かつ、２つの主表面１０１ａ，１０１ｂの平行度が１．０［μｍ］未満の、高い表面品質と高精度の板厚を有する。そのため、高い表面品質かつ高精度の板厚を有する薄板ガラス基板を切り出すことができる。
【手続補正３】
【補正対象書類名】明細書
【補正対象項目名】００５４
【補正方法】変更
【補正の内容】
【００５４】
図６に示す円盤状ガラス素板１０７ａ，１０７ｂ、円盤状ガラス基板１００の各々の拡大図は、上述の通り、円盤状ガラス素板１０７ａ，１０７ｂ、円盤状ガラス基板１００の各々の全体において概ね同じ位置及び範囲を前方から見た断面を示す。すなわち、図６は、円盤状ガラス素板１０７ａ，１０７ｂの各々と円盤状ガラス基板１００との上下方向の中心を横切る面が互いに重なり、かつ、上下方向から見た主表面１０１ａ〜１０１ｆの各々の中心が一致するように配置して、円盤状ガラス素板１０７ａ，１０７ｂの各々と円盤状ガラス基板１００との対応する部分を前方から見た場合の拡大断面を示す図である。
【手続補正４】
【補正対象書類名】明細書
【補正対象項目名】０１０８
【補正方法】変更
【補正の内容】
【０１０８】
本実施の形態に係る導光板１１５の製造方法では、図１０に示すように、図８を参照して上に説明した切出加工（ステップＳ６）の後に、切り出された薄板ガラス基板１１４が積層される（ステップＳ７）。言い換えると、積層工程（ステップＳ７）は、薄板ガラス基板１１４の製造方法により製造された薄板ガラス基板１１４に対して行われる。
【手続補正５】
【補正対象書類名】特許請求の範囲
【補正対象項目名】請求項８
【補正方法】変更
【補正の内容】
【請求項８】
前記面取りすることでは、機械的処理又は化学的処理を用いて前記外縁部を面取りすることによって面取り面を形成し、
前記研削すること及び前記研磨することでは、前記面取り面の少なくとも一部が残存する範囲の取り代で、前記円盤状ガラス素板の前記２つの主表面が研削されて研磨される
ことを特徴とする請求項１から７のいずれか１項に記載の円盤状ガラス基板の製造方法。
【手続補正書】
【提出日】令和2年9月23日(2020.9.23)
【手続補正１】
【補正対象書類名】明細書
【補正対象項目名】０００３
【補正方法】変更
【補正の内容】
【０００３】
アルミニウム製部材を鋳造法により製造するために、低圧鋳造機が用いられる。低圧鋳造機は、一般に、金型と、この金型の入り口に設けられた湯口ブッシュに連通して設けられたストークと、溶湯が保持される坩堝とを備える。鋳造工程において、坩堝内の溶湯が加圧されることにより、溶湯はストーク、次いで湯口ブッシュを通じて金型内に供給充填され、冷却されて固化した後に金型から取り出され、次の溶湯が供給される。この一連の作業の過程で、その内側が溶湯に曝される湯口ブッシュは、アルミニウム溶湯との反応によりその一部が消失する、いわゆる溶損が発生する場合がある。溶損が発生すると、アルミニウム製部材に鉄分が解け出しコンタミネーションとなり、アルミニウム製部材の強度低下などを招き、アルミニウム製部材の製造歩留まりの低下を招く場合がある。また、溶損が生じた湯口ブッシュは新品に交換されるが、湯口ブッシュは交換した後、使用温度条件に安定するまでの保守時間が長く、その間鋳造機の作動を止めなければならず、計画的な生産ができないため生産性の低下を招く。
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
駆動機構を有し薬液として少なくとも造影剤を患者へと向けて押し出す注入ヘッドと、
ディスプレイを有し前記注入ヘッドに接続されたコンソールと、
を備える薬液注入装置であって、
前記コンソールは、前記ディスプレイに注入条件設定のためのグラフィカルユーザインターフェースを表示するものであって、当該グラフィカルユーザインターフェースは、操作者に対し注入条件設定のために必要な操作を案内するガイダンス画像を含む、薬液注入装置。
【請求項２】
前記ガイダンス画像は、前記グラフィカルユーザインターフェース上の所定の画像ボタンを押すことにより表示されるように構成されている、
請求項１に記載の薬液注入装置。
【請求項３】
前記ガイダンス画像は、前記グラフィカルユーザインターフェース上の所定の画像ボタンが押されない場合であっても自動的に表示されるように構成されている、
請求項１に記載の薬液注入装置。
【請求項４】
前記グラフィカルユーザインターフェースは、薬液がどのような条件で注入されるかを示す注入条件画像を含み、
前記ガイダンス画像は、前記注入条件画像を表示させたままの状態で同一画面上に表示される、
請求項１〜３のいずれか一項に記載の薬液注入装置。
【請求項５】
前記ガイダンス画面に含まれる操作案内の内容は、注入条件設定のための手順の進行に合わせて変更される、
請求項１〜４のいずれか一項に記載の薬液注入装置。
【請求項６】
前記ガイダンス画像には、薬液注入装置の機器のボタンの画像が表示される、請求項１〜５のいずれか一項に記載の薬液注入装置。
【請求項７】
前記注入ヘッドは、第１の薬液が充填された第１のシリンジと第２の薬液が充填された第２のシリンジとを保持する二筒式のものである、請求項１〜６のいずれか一項に記載の薬液注入装置。
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
遊技に関わる遊技情報が表示される表示手段と、
その表示手段に特定の前記遊技情報が表示された場合に、遊技者に有利となる特典遊技を実行する特典遊技実行手段と、を有する遊技機において、
遊技球を複数の流路に振り分けることが可能な振分入球手段を有し、
前記振分入球手段は、
その振分入球手段内に遊技球が入球することが可能な振分入球口と、
その振分入球口に入球した遊技球を前記複数の流路に対して所定の規則に基づいて遊技球が流下する流路を切り替えて振り分ける流路切替手段と、
前記遊技情報の１つである擬似識別情報の動的表示を開始する条件の成立を契機に、複数の擬似識別情報の動的表示態様のうち、１つの擬似動的表示態様を決定する擬似動的表示態様決定手段と、を有し、
前記複数の流路のうち、一の流路は、遊技球が入球することで遊技者に有利となる特典が付与される特典入球手段へと遊技球を案内するように構成されていることを特徴とする遊技機。
【手続補正２】
【補正対象書類名】明細書
【補正対象項目名】０００７
【補正方法】変更
【補正の内容】
【０００７】
この目的を達成するために請求項１記載の遊技機は、遊技に関わる遊技情報が表示される表示手段と、その表示手段に特定の前記遊技情報が表示された場合に、遊技者に有利となる特典遊技を実行する特典遊技実行手段と、を有し、遊技球を複数の流路に振り分けることが可能な振分入球手段を有し、前記振分入球手段は、その振分入球手段内に遊技球が入球することが可能な振分入球口と、その振分入球口に入球した遊技球を前記複数の流路に対して所定の規則に基づいて遊技球が流下する流路を切り替えて振り分ける流路切替手段と、前記遊技情報の１つである擬似識別情報の動的表示を開始する条件の成立を契機に、複数の擬似識別情報の動的表示態様のうち、１つの擬似動的表示態様を決定する擬似動的表示態様決定手段と、を有し、前記複数の流路のうち、一の流路は、遊技球が入球することで遊技者に有利となる特典が付与される特典入球手段へと遊技球を案内するように構成されている。
【手続補正３】
【補正対象書類名】明細書
【補正対象項目名】００１１
【補正方法】変更
【補正の内容】
【００１１】
請求項１記載の遊技機によれば、遊技に関わる遊技情報が表示される表示手段と、その表示手段に特定の前記遊技情報が表示された場合に、遊技者に有利となる特典遊技を実行する特典遊技実行手段と、を有し、遊技球を複数の流路に振り分けることが可能な振分入球手段を有し、前記振分入球手段は、その振分入球手段内に遊技球が入球することが可能な振分入球口と、その振分入球口に入球した遊技球を前記複数の流路に対して所定の規則に基づいて遊技球が流下する流路を切り替えて振り分ける流路切替手段と、前記遊技情報の１つである擬似識別情報の動的表示を開始する条件の成立を契機に、複数の擬似識別情報の動的表示態様のうち、１つの擬似動的表示態様を決定する擬似動的表示態様決定手段と、を有し、前記複数の流路のうち、一の流路は、遊技球が入球することで遊技者に有利となる特典が付与される特典入球手段へと遊技球を案内するように構成されている。
【手続補正４】
【補正対象書類名】明細書
【補正対象項目名】０５７２
【補正方法】変更
【補正の内容】
【０５７２】
１０          パチンコ機（遊技機）
６４          振分入賞装置（振分入球手段）
６４ａ７      第７振分回転部材（流路切替手段の一部）
６４ａ８      第８振分回転部材（流路切替手段の一部）
７１          第１始動口（特典入球手段）
Ｓ１０３      （特典遊技実行手段）
Ｓ１６１２    （擬似動的表示態様決定手段）
【手続補正書】
【提出日】令和2年3月13日(2020.3.13)
【手続補正１】
【補正対象書類名】特許請求の範囲
【補正対象項目名】請求項１
【補正方法】変更
【補正の内容】
【請求項１】
表示手段と、
通常遊技状態と該通常遊技状態よりも遊技者にとって有利な特別遊技状態とに制御可能な遊技状態制御手段と、
前記表示手段にて種々の演出を実行可能な演出制御手段とを備え、
前記演出制御手段は、
特定演出と、
前記特定演出の実行前に所定時間の計時に関する表示を開始する計時演出とを実行可能とし、
前記特定演出は、所定演出の実行後に成功演出と失敗演出の何れかの結果演出が出現し、
前記計時演出による計時終了前に前記所定演出を開始し、前記計時演出による計時終了後に前記結果演出を実行し、
前記通常遊技状態と前記特別遊技状態とで、前記計時演出の出現率が異なるように構成し、
前記計時演出を行った場合の前記特定演出の方が、前記計時演出を行わなかった場合の前記特定演出よりも前記成功演出が出現する可能性が高い
ことを特徴とする遊技機。
【手続補正２】
【補正対象書類名】明細書
【補正対象項目名】０００５
【補正方法】変更
【補正の内容】
【０００５】
本発明は、表示手段６０と、通常遊技状態と該通常遊技状態よりも遊技者にとって有利な特別遊技状態とに制御可能な遊技状態制御手段１２３と、前記表示手段６０にて種々の演出を実行可能な演出制御手段１３８とを備え、前記演出制御手段１３８は、特定演出と、前記特定演出の実行前に所定時間の計時に関する表示を開始する計時演出とを実行可能とし、前記特定演出は、所定演出の実行後に成功演出と失敗演出の何れかの結果演出が出現し、前記計時演出による計時終了前に前記所定演出を開始し、前記計時演出による計時終了後に前記結果演出を実行し、前記通常遊技状態と前記特別遊技状態とで、前記計時演出の出現率が異なるように構成し、前記計時演出を行った場合の前記特定演出の方が、前記計時演出を行わなかった場合の前記特定演出よりも前記成功演出が出現する可能性が高いものである。
【手続補正３】
【補正対象書類名】明細書
【補正対象項目名】０２９０
【補正方法】変更
【補正の内容】
【０２９０】
図６６と図６７は、何れもタイマ演出に対応して予告ｃ１を実行する場合の液晶表示手段６０の画像表示の一例を示したものであるが、図６６では予告ｃ１の煽り部分（図６６（ｃ））を開始すると同時又はそれよりも前（図６６のＴ１）にタイマ値が０となって計時を終了しているのに対し、図６７では計時終了よりも前（図６７のＴ１）に予告ｃ１の煽り部分の実行を開始し（図６７（ｂ））、その煽り部分の実行中（図６７（ｃ））にタイマ値が０となって（図６７のＴ２）計時を終了している。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
１回の遊技において操作手段の操作を複数回可能とし、操作手段が操作されたことに基づいて遊技の結果が示される遊技機であって、
遊技の結果としての遊技情報を記憶する記憶手段を備え、
前記記憶手段が前記遊技の結果として第１の遊技情報を記憶しているときに、当該遊技の結果とは異なる新たな遊技の結果としての第２の遊技情報を記憶することを可能とし、
前記記憶手段が前記遊技の結果として前記第１の遊技情報と前記第２の遊技情報を記憶しているとき、前記第１の遊技情報よりも先に前記第２の遊技情報に対しての遊技の結果を示す
ことを特徴とする遊技機。
【手続補正２】
【補正対象書類名】明細書
【補正対象項目名】０００５
【補正方法】変更
【補正の内容】
【０００５】
特典の付与に対して期待させる工夫はまだまだ改善の余地がある。
【手続補正３】
【補正対象書類名】明細書
【補正対象項目名】０００６
【補正方法】変更
【補正の内容】
【０００６】
そこで、本発明は、上述した課題に鑑み、特典の付与に対して期待させる工夫が施された遊技機を提供することを目的とする。
【手続補正４】
【補正対象書類名】明細書
【補正対象項目名】０００７
【補正方法】変更
【補正の内容】
【０００７】
前記目的を達成するために、本発明は、１回の遊技において操作手段の操作を複数回可能とし、操作手段が操作されたことに基づいて遊技の結果が示される遊技機であって、遊技の結果としての遊技情報を記憶する記憶手段を備え、前記記憶手段が前記遊技の結果として第１の遊技情報を記憶しているときに、当該遊技の結果とは異なる新たな遊技の結果としての第２の遊技情報を記憶することを可能とし、前記記憶手段が前記遊技の結果として前記第１の遊技情報と前記第２の遊技情報を記憶しているとき、前記第１の遊技情報よりも先に前記第２の遊技情報に対しての遊技の結果を示すことを特徴とする。
【手続補正５】
【補正対象書類名】明細書
【補正対象項目名】０００８
【補正方法】変更
【補正の内容】
【０００８】
本発明によれば、特典の付与に対して期待させる工夫が施された遊技機を提供することができる。
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
透析流体システムであって、
透析流体入口；
透析流体出口；
該透析流体入口および該透析流体出口を通って透析流体を揚送するように位置付けられ、配置されたポンプ；および
該透析流体入口と該透析流体出口との間に位置付けられた誘導加熱器
を備え、該誘導加熱器が、
該透析流体入口から非加熱透析流体を受け取り、加熱透析流体を該透析流体出口に出力するように位置付けられ、配置された流体流路、
変圧器の二次コイルであるか、または変圧器の二次コイルとして動作するように該流体流路内に配置された伝導加熱器要素、および
該流体流路の外側に配置され、該伝導加熱器要素に電流を磁気的に誘導するように位置付けられ、該伝導加熱器要素および周囲の透析流体を加熱する該変圧器の一次コイル
を備える、
透析流体システム。
【請求項２】
前記流体流路および前記伝導加熱器要素が、前記透析流体入口および前記透析流体出口と流体連通する加熱器の筐体内に配置される、請求項１に記載の透析流体システム。
【請求項３】
前記加熱器の筐体が、前記システムの使い捨てカセットと一体化されて形成されているか、または該使い捨てカセットとは別であり、該使い捨てカセットと流体連通している、請求項２に記載の透析流体システム。
【請求項４】
前記使い捨てカセットが、透析機械で動作可能であり、該透析機械が、前記ポンプの作動部分および前記一次コイルを提供する、請求項３に記載の透析流体システム。
【請求項５】
前記一次コイルが、前記透析機械に対して前記使い捨てカセットを中心に配置させるかまたは安定させるように位置付けられ、配置されている、請求項４に記載の透析流体システム。
【請求項６】
前記誘導加熱器を通って流れる透析流体の温度を監視するように配置された少なくとも１つの温度センサを備える、請求項１に記載の透析流体システム。
【請求項７】
前記誘導加熱器が、毎分約１５０ミリリットルの流速で非加熱透析流体を５℃から加熱透析流体の３７℃に加熱し得るように構成されている、請求項１に記載の透析流体システム。
【請求項８】
前記伝導加熱器要素が、円筒状管を形成し、該円筒状管によって、前記流体流路が、該円筒状管の内側表面および外側表面に沿って延在する、請求項１に記載の透析流体システム。
【請求項９】
請求項８に記載の透析流体システムであって、前記伝導加熱器要素が配置される加熱器の筐体を備え、さらに、前記流体流路が、前記円筒状管の内側表面および外側表面に沿って延在するように該加熱器の筐体が構成されている、請求項８に記載の透析流体システム。
【請求項１０】
透析流体システムであって、
ポンプ作動装置を備える透析流体機械；
透析流体を揚送するように該ポンプ作動装置で作動可能なポンプ部分を備える使い捨てカセット；および
誘導加熱器であって、（ｉ）非加熱透析流体を受け取り、加熱透析流体を出力するように位置付けられ、配置された流体流路、（ｉｉ）変圧器の二次コイルであるか、または変圧器の二次コイルとして動作するように該流体流路内に配置された伝導加熱器要素、（ｉｉｉ）該流体流路の外側に配置され、該伝導加熱器要素に電流を磁気的に誘導するように該透析流体機械内に位置付けられ、該伝導加熱器要素および周囲の透析流体を加熱する該変圧器の一次コイルを備え、（ｉｖ）該一次コイルが、該透析機械に対して該使い捨てカセットを中心に配置させるかまたは安定させるように位置付けられ、配置されている、誘導加熱器、
を備える、透析流体システム。
【請求項１１】
前記使い捨てカセットのポンプ部分が、前記流体流路の上流に配置される、請求項１０に記載の透析流体システム。
【請求項１２】
前記流体流路および前記伝導加熱器要素が、少なくとも部分的に、前記使い捨てカセットの加熱器の筐体内に配置される、請求項１０に記載の透析流体システム。
【請求項１３】
前記加熱器の筐体が前記一次コイルの上に直接位置づけ可能であるように、前記透析流体機械および前記使い捨てカセットが構成されている、請求項１２に記載の透析流体システム。
【請求項１４】
前記伝導加熱器要素が、前記加熱器の筐体内において円筒状に適合する、請求項１２に記載の透析流体システム。
【請求項１５】
前記流体流路が、前記加熱器の筐体および前記加熱器要素の複数の表面に沿って延在する、請求項１２に記載の透析流体システム。
【請求項１６】
透析流体システムであって、
ポンプ作動装置を備える透析流体機械；
透析流体を揚送するように該ポンプ作動装置で作動可能なポンプ部分を備える使い捨てカセット；および
誘導加熱器であって、（ｉ）非加熱透析流体を受け取り、加熱透析流体を出力するように位置付けられ、配置された流体流路、（ｉｉ）変圧器の二次コイルであるか、または変圧器の二次コイルとして動作するように該流体流路内に配置された伝導加熱器要素、（ｉｉｉ）該流体流路の外側に配置され、該伝導加熱器要素に電流を磁気的に誘導するように該透析流体機械内に位置付けられ、該伝導加熱器要素および周囲の透析流体を加熱する該変圧器の一次コイルを備え、該誘導加熱器が、毎分約１５０ミリリットルの流速で非加熱透析流体を５℃から加熱透析流体の３７℃に加熱し得る、誘導加熱器、
を備える、透析流体システム。
【請求項１７】
前記流体流路および前記伝導加熱器要素が、少なくとも部分的に、前記加熱器の筐体内に配置され、該加熱器の筐体が、前記使い捨てカセットと一体化されて形成されているか、または該使い捨てカセットとは別であり、該使い捨てカセットと流体連通している、請求項１６に記載の透析流体システム。
【請求項１８】
前記伝導加熱器要素が、１０平方インチ未満の面積である、請求項１６に記載の透析流体システム。
【請求項１９】
前記伝導加熱器要素が、ステンレス鋼である、請求項１６に記載の透析流体システム。
【請求項２０】
前記誘導加熱器を通って流れる透析流体の温度を監視するように配置された少なくとも１つの非侵襲性の温度センサを備える、請求項１６に記載の透析流体システム。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
クロック信号を提供するように構成されたリアルタイムクロック（２０）と、受信部とを備えるトランシーバ装置であって、
前記受信部は、
通信信号を受信するように構成された主受信機（４０）と、
タイムスタンプを含むクロックタイミング情報を備える較正信号を受信し、前記クロックタイミング情報に基づいて前記リアルタイムクロック（２０）を調整するウェイクアップ受信機（１０）とを備えるトランシーバ装置において、
前記トランシーバ装置は、前記クロックタイミング情報を受信し、前記受信されたクロックタイミング情報を前記リアルタイムクロック（２０）のタイミング情報と比較して、トランシーバ装置の前記リアルタイムクロック（２０）を調整するためのタイミング誤差を得るように構成されたリアルタイムクロックコントローラ（３０）をさらに備えることを特徴とするトランシーバ装置。
【請求項２】
前記ウェイクアップ受信機（１０）は、ウェイクアップ信号を受信し、前記ウェイクアップ信号を受信したときに前記主受信機（４０）をウェイクアップさせるために使用されるように構成される請求項１に記載のトランシーバ装置。
【請求項３】
前記リアルタイムクロック（２０）は、前記主受信機（４０）をウェイクアップさせるように構成される請求項１に記載のトランシーバ装置。
【請求項４】
前記ウェイクアップ受信機（１０）は、前記リアルタイムクロック（２０）からの前記クロック信号を介して周期的にイネーブルされるように構成される請求項１〜３のうちのいずれか１つに記載のトランシーバ装置。
【請求項５】
前記リアルタイムクロックコントローラ（３０）は、前記リアルタイムクロック（２０）の前記タイミング情報を抽出するためのカウンタ（３２）を備える請求項４に記載のトランシーバ装置。
【請求項６】
前記受信されたクロックタイミング情報と、前記リアルタイムクロック（２０）の前記タイミング情報との比較を実行する比較手段を備える請求項４又は５に記載のトランシーバ装置。
【請求項７】
前記リアルタイムクロックコントローラ（３０）は、前記タイミング誤差をフィルタリングするためのデジタルループフィルタ（３３）をさらに備える請求項４〜６のうちのいずれか１つに記載のトランシーバ装置。
【請求項８】
センサ装置をさらに備える請求項１〜７のうちのいずれか１つに記載のトランシーバ装置。
【請求項９】
請求項１〜８のいずれかに記載のトランシーバ装置を備えるセンサネットワークにおけるセンサノードとして使用するための装置。
【請求項１０】
請求項１〜８のいずれかに記載の１つ以上のトランシーバ装置を備える通信システム。
【請求項１１】
マスタ装置として動作するように構成された別のトランシーバ装置を備える請求項１０に記載の通信システム。
【請求項１２】
ネットワーク内のスレーブとして動作する第１のトランシーバ装置のリアルタイムクロック（２０）を較正する較正方法であって、
前記較正方法は、
前記第１のトランシーバ装置の受信部の一部を形成するウェイクアップ受信機（１０）をイネーブルするステップと、
前記ウェイクアップ受信機（１０）において、タイムスタンプを含むクロックタイミング情報を含む較正信号を受信し、前記クロックタイミング情報に基づいて前記リアルタイムクロック（２０）を調整するステップとを含む較正方法において、
タイムスタンプを含む前記受信されたクロックタイミング情報は、前記リアルタイムクロック（２０）のタイミング情報と比較されてタイミング誤差を得ることで、前記リアルタイムクロック（２０）を調整することを特徴とする較正方法。
【請求項１３】
前記較正信号が受信されるとき、前記第１のトランシーバ装置の受信部の一部を形成する主受信機が前記ウェイクアップ受信機（１０）でウェイクアップされる請求項１２に記載の較正方法。
【請求項１４】
前記ウェイクアップ受信機（１０）は、前記リアルタイムクロック（２０）からのクロック信号を介して周期的にイネーブルされる請求項１２又は１３に記載の較正方法。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
酸化鉄により構成される酸化物粒子であり、
上記酸化物粒子に含まれるＭ−ＯＨ結合の比率が１．５％以上７．５％以下であり、
上記酸化物粒子を分散媒に分散させた分散液において、波長１９０ｎｍから３８０ｎｍの光線に対する平均モル吸光係数が１０００Ｌ／（ｍｏｌ・ｃｍ）以上であることを特徴とする酸化物粒子。
【請求項２】
酸化鉄により構成される酸化物粒子であり、
上記酸化物粒子に含まれるＭ−ＯＨ結合の比率が１．５％以上７．５％以下であり、
上記酸化物粒子の波長７８０ｎｍから２５００ｎｍの光線に対する平均反射率が５５％以上であることを特徴とする酸化物粒子。
【請求項３】
酸化セリウムにより構成される酸化物粒子であり、
上記酸化物粒子に含まれるＭ−ＯＨ比率が１２．５％以下であり、上記酸化物粒子を分散媒に分散させた分散液において、波長２００ｎｍから３８０ｎｍの光線に対する平均モル吸光係数が３５００Ｌ／（ｍｏｌ・ｃｍ）以上であることを特徴とする酸化物粒子。
【請求項４】
酸化セリウムにより構成される酸化物粒子であり、
上記酸化物粒子に含まれるＭ−ＯＨ比率が１１％以下であり、上記酸化物粒子を分散媒に分散させた分散液において、波長２００ｎｍから３８０ｎｍの光線に対する平均モル吸光係数が４０００Ｌ／（ｍｏｌ・ｃｍ）以上であることを特徴とする酸化物粒子。
【請求項５】
コバルト亜鉛複合酸化物により構成される酸化物粒子であり、
上記酸化物粒子に含まれるＭ−ＯＨ比率が０．５％以上２０％以下であり、上記酸化物粒子を分散媒に分散させた分散液において、波長２００ｎｍから３８０ｎｍの光線に対する平均モル吸光係数が７００Ｌ／（ｍｏｌ・ｃｍ）以上であることを特徴とする酸化物粒子。
【請求項６】
ケイ素コバルト亜鉛複合酸化物により構成される酸化物粒子であり、
上記酸化物粒子に含まれるＭ−ＯＨ比率が１３％以上３３％以下であり、上記酸化物粒子を分散媒に分散させた分散液において、波長２００ｎｍから３８０ｎｍの光線に対する平均モル吸光係数が８００Ｌ／（ｍｏｌ・ｃｍ）以上であることを特徴とする酸化物粒子。
【請求項７】
上記酸化物粒子の一次粒子径が１００ｎｍ以下であることを特徴とする請求項１から６の何れかに記載の酸化物粒子。
【請求項８】
酸化物粒子が、一次粒子径が５０ｎｍ以下の酸化亜鉛粒子であり、
上記酸化物粒子に含まれるＭ−ＯＨ結合の比率が１２％以下であり、
上記酸化物粒子を分散媒に分散させた分散液において、波長２００ｎｍから３８０ｎｍの光線に対する平均モル吸光係数が５００Ｌ／（ｍｏｌ・ｃｍ）以上であることをと特徴とする酸化物粒子。
【請求項９】
酸化物粒子が、一次粒子径が５０ｎｍ以下の酸化亜鉛粒子であり、
上記酸化物粒子に含まれるＭ−ＯＨ結合の比率が１１．２％以下であり、
上記酸化物粒子を分散媒に分散させた分散液において、波長２００ｎｍから３８０ｎｍの光線に対する平均モル吸光係数が６５０Ｌ／（ｍｏｌ・ｃｍ）以上であることをと特徴とする酸化物粒子。
【請求項１０】
酸化物粒子が、一次粒子径が５０ｎｍ以下の酸化亜鉛粒子であり、
上記酸化物粒子に含まれるＭ−ＯＨ結合の比率が１２％以下であり、
上記酸化物粒子の波長７８０ｎｍから２５００ｎｍの光線に対する平均反射率が６５％以上であることを特徴とする酸化物粒子。
【請求項１１】
酸化物粒子が、一次粒子径が５０ｎｍ以下の酸化亜鉛粒子であり、
上記酸化物粒子に含まれるＭ−ＯＨ結合の比率が１２％以下であり、
上記酸化物粒子を分散媒に分散させた分散液において、波長３３０ｎｍの光線に対する透過率が１０％以下であり、波長３８０ｎｍから７８０ｎｍの光線に対する平均透過率が９０％以上であることを特徴とする酸化物粒子。
【請求項１２】
上記酸化物粒子を分散媒に分散させて得られた酸化物粒子分散液のヘーズ値が１％以下であることを特徴とする請求項８から１１の何れかに記載の酸化物粒子。
【請求項１３】
請求項１から１２の何れかに記載の酸化物粒子を含むことを特徴とする塗布用又はフィルム状酸化物組成物。
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
通常操作で糸（５）を製造および／または巻き取り、前記通常操作が周期的に中断され、前記通常操作を復元するために少なくとも１つの修復ステップが実行され、各修復ステップの修復結果が指定され、前記修復結果が達成されるかまたは所定の試行失敗数に達するまで修復装置（９；１０）が標準修復操作を実行する繊維機械のワークステーション（１）を操作する操作方法であって、
前記所定の試行失敗数に達したときに、延長修復操作が、実行されることを特徴とする操作方法。
【請求項２】
前記延長修復操作の実行が、示されることを特徴とする、請求項１に記載の操作方法。
【請求項３】
前記延長修復操作の実行時に、視覚的および／または音響的な信号が発せられることを特徴とする、請求項１または請求項２に記載の操作方法。
【請求項４】
前記視覚的および／または音響的な信号が、前記ワークステーション（１）、前記繊維機械の中心部、ならびに／または、前記繊維機械から切り離されているかもしくは切り離し可能なディスプレイ装置で発せられることを特徴とする、請求項３に記載の操作方法。
【請求項５】
前記延長修復操作が、修正修復操作を含むことを特徴とする、請求項１から請求項４のいずれか一項に記載の操作方法。
【請求項６】
前記標準修復操作に対応する前記修正修復操作が、前記標準修復操作に比べて変更されたパラメータで実行され、および／または、異なる修復装置（１４）により実行されることを特徴とする、請求項５に記載の操作方法。
【請求項７】
前記延長修復操作が、支援修復操作を含み、前記支援修復操作の後で、前記標準修復操作および／または前記修正修復操作が実行されることを特徴とする、請求項５または請求項６に記載の操作方法。
【請求項８】
前記支援修復操作が、クリーニング操作および／または交換操作であることを特徴とする、請求項７に記載の操作方法。
【請求項９】
前記交換操作時に、テンプレート材料（４）、レシーバコイル（８）もしくはスリーブ、および／または詳細には摩耗部品である前記ワークステーション（１）の部品が交換されることを特徴とする、請求項８に記載の操作方法。
【請求項１０】
欠陥の原因および／または発生時点を判断する操作が、前記修復ステップの先頭で、および／または前記延長修復操作の一部として実行され、欠陥の原因および／または発生時点を判断する当該操作の結果に基づいて、後続の操作が選択されるか、または、前記修復ステップおよび／もしくは前記延長修復操作が中止されることを特徴とする、請求項１から請求項９のいずれか一項に記載の操作方法。
【請求項１１】
前記欠陥の原因および／もしくは発生時点を判断する操作の結果、または当該結果に基づいて選択された操作が、視覚的および／もしくは音響的な態様で明確にされることを特徴とする、請求項１０に記載の操作方法。
【請求項１２】
前記標準修復操作、前記修正修復操作、および／または前記支援修復操作が、前記ワークステーション（１）の修復装置（９；１０）、ロボット、走行クリーナ（１７）、および／または特別な追加修復ユニット（１４）により実行されることを特徴とする、請求項５から請求項１１のいずれか一項に記載の操作方法。
【請求項１３】
前記各ワークステーション（１）にメンテナンス優先順位が割り当てられ、
前記メンテナンス優先順位が、延長修復操作が実行されたときは低く設定されることを特徴とする、請求項１から請求項１２のいずれか一項に記載の操作方法。
【請求項１４】
前記修正修復操作および／もしくは前記支援修復操作が実行されたワークステーションごとの実行された修正修復操作および／もしくは支援修復操作の数、ならびに／または修復操作を実行した修復装置ごとの失敗した修復操作の数が記録され、当該数の蓄積が示されることを特徴とする、請求項５から請求項１３のいずれか一項に記載の操作方法。
【請求項１５】
前記標準修復操作が、糸継ぎ操作、糸検索操作、玉揚げ操作、および／または、スプライシング操作であることを特徴とする、請求項１から請求項１４のいずれか一項に記載の操作方法。
【請求項１６】
請求項１から請求項１５のいずれか一項に従って繊維機械を操作するように形成された制御ユニットを備えていることを特徴とする繊維機械。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
式（Ｇ１）で表される有機化合物。
【化１】
2018002710.tif 000001
（式中、Ｒ１〜Ｒ１５のうち、Ｒ１〜Ｒ９のいずれか一は、式（Ｇ１−１）中のＲ１０〜Ｒ１４のいずれか一と結合し、その他はそれぞれ独立に、水素、置換もしくは無置換の炭素数１〜６のアルキル基、置換もしくは無置換の炭素数５〜７のシクロアルキル基、置換もしくは無置換の炭素数６〜１３のアリール基、のいずれかを表す。なお、ｎは、０〜３のいずれかを表し、ｍは、１または２を表す。Ａは、単結合、または置換もしくは無置換の炭素数６〜１３のアリーレン基を表し、Ｂは、置換もしくは無置換のジベンゾフラン骨格を有する環状構造、置換もしくは無置換のジベンゾチオフェン骨格を有する環状構造、または置換もしくは無置換のカルバゾール骨格を有する環状構造を表す。）
【請求項２】
請求項１において、
前記式（Ｇ１−１）中のＢは、下記式（Ｂ１）乃至式（Ｂ４）のいずれか一である有機化合物。
【化２】
2018002710.tif 000002
（式中、ｍは、１または２を表す。また、Ｑは、Ｓ、Ｎ−Ｒ１６、Ｏのいずれかであり、Ｒ１６は、水素、置換もしくは無置換のフェニル基、のいずれかを表す。また、式（Ｂ１）〜（Ｂ４）中のベンゼン環は置換基を有していても良く、前記置換基は、置換もしくは無置換の炭素数１〜６のアルキル基、置換もしくは無置換の炭素数５〜７のシクロアルキル基、置換もしくは無置換の炭素数６〜１３のアリール基、のいずれかである。）
【請求項３】
式（１００）または式（１０１）で表される有機化合物。
【化３】
2018002710.tif 000003
【請求項４】
請求項１乃至請求項３のいずれか一項に記載の有機化合物を用いた発光素子。
【請求項５】
請求項４に記載の発光素子と、トランジスタまたは基板のいずれか一と、を有する発光装置。
【請求項６】
請求項４に記載の発光素子と、接続端子、または、操作キーと、を有する電子機器。
【請求項７】
請求項５に記載の発光装置と、
マイク、カメラ、操作用ボタン、外部接続部、または、スピーカのいずれか一と、を有する電子機器。
【請求項８】
請求項５に記載の発光装置と、
筐体、カバー、または、支持台のいずれか一と、を有する照明装置。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
実質的にリコピンを含まないナス科の果実のエキスを含む医薬組成物であって、該エキスが
（ａ）グリコシル化フェノール酸もしくはフェノール酸エステルまたはその誘導体；
（ｂ）グリコシル化フラボノイド；および
（ｃ）ヌクレオシド
を含む、医薬組成物。
【請求項２】
エキスが、糖を１％未満含有しており、エキスを調製する出発混合物中に含まれる生物活性成分（ａ）、（ｂ）および（ｃ）を９５％超含有している濃縮水溶液である、請求項１記載の医薬組成物。
【請求項３】
エキスが、トマトの果実からのものであり、０.８ＡＵ未満の褐変インデックス、４.０〜４.３のｐＨ、および１.１５〜１.２０の密度を有する、請求項１記載の医薬組成物。
【請求項４】
グリコシル化フェノール酸またはフェノール酸エステルが、グリコシル化桂皮酸またはその誘導体であり、カフェオイル−４−Ｏ−キニン酸、カフェオイル−４−Ｏ−グルコシド、クマロイル−４−Ｏ−グリコシド（ｇｌｕｃ／ｇａｌ）およびクマロイル−４−Ｏ−グリコシド（ジサッカライド）からなる群から選択され得る、請求項１〜３いずれか１項記載の医薬組成物。
【請求項５】
クリコシル化フェノール酸またはフェノール酸エステルが、カフェ酸グルコシド；ｐ−クマル酸ヘキソース／ジヒドロケンフェロールヘキソース；フェルラ酸グリコシド；およびｐ−クマル酸誘導体から選択される、請求項１〜４いずれか１項記載の医薬組成物。
【請求項６】
グリコシル化フラボノイドが、ケルセチン−３−Ｏ−グルコシドまたはルチンである、請求項１〜５いずれか１項記載の医薬組成物。
【請求項７】
ヌクレオシドが、ＡＭＰ、ウリジン、アデノシン、グアノシンまたはＧＭＰからなる群から選択される、請求項１〜６いずれか１項記載の医薬組成物。
【請求項８】
さらに、医薬的に許容される賦形剤を含む、請求項１〜７いずれか１項記載の医薬組成物。
【請求項９】
液剤、懸濁剤、シロップ剤、錠剤、カプセル剤またはロゼンジ剤として製剤化される、請求項１〜８いずれか１項記載の医薬組成物。
【請求項１０】
不適当な血小板凝集によって特徴付けられる医学的状態の治療または予防のための薬剤として使用するための、請求項１〜９いずれか１項記載の医薬組成物。
【請求項１１】
不適当な血小板凝集によって特徴付けられる医学的状態の治療または予防が、血小板凝集を減少させることによって心臓の健康を維持すること、循環に利益をもたらすこと、および血流を正常化するかまたは血流に利益をもたらすことからなる群から選択される目的のために行われる、請求項１０記載の医薬組成物。
【請求項１２】
該医薬組成物が、
（ａ）しばしば、真性糖尿病、炎症性腸疾患、高脂血症などの症状に伴うような、凝固性亢進状態または血栓形成促進性状態の発生の予防または軽減；
（ｂ）アテローム性動脈硬化症の発症の予防または軽減；
（ｃ）冠疾患の発症の予防（例えば、心筋梗塞および脳卒中、ならびにさらに、心筋梗塞、脳卒中または不安定性狭心症を患っている患者における血栓塞栓症の予防）；
（ｄ）血管形成術およびバイパス手術後の再狭窄の発生の予防；
（ｅ）血栓溶解療法と併用した、心筋梗塞のような血栓塞栓症に由来する冠疾患の治療；
（ｆ）深部静脈血栓症の予防またはそのリスクの軽減；
（ｇ）良好な循環の健康状態を維持するように循環に利益をもたらすこと；または
（ｈ）心血管系において健康な血流を維持すること
に用いられる、請求項１０記載の医薬組成物。
【請求項１３】
エキス５０〜８００ｍｇを含む、請求項１〜１２いずれか１項記載の医薬組成物の投与剤形。
【請求項１４】
エキス１５０ｍｇを含む、請求項１３記載の投与剤形。
【請求項１５】
請求項２に記載の医薬組成物内に含有されるエキスの製造方法であって、
（ａ）ホモジナイズした果実の出発混合物を調製する工程；
（ｂ）水溶性フラクションを果実固体から分離する工程；
（ｃ）該水溶性フラクションを濾過する工程；および
（ｄ）濾過透過物中の活性物質を濃縮する工程
によって、ナス科の果実を処理して該エキスの血小板凝集阻害活性を最適化する、方法。
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
弱毒生フラビウイルス組成物であって、
１種または複数の弱毒生フラビウイルス；
０．０１〜３．０％（ｗ／ｖ）の濃度の血清アルブミン；および
５〜５０％（ｗ／ｖ）の濃度のトレハロース
を含み、（ｉ）血清アルブミンと（ｉｉ）トレハロースとの組合せが前記弱毒生フラビウイルスの不活化を低減させる有効成分である、前記弱毒生フラビウイルスの不活化を低減させることが可能なフラビウイルス組成物において、
前記弱毒生フラビウイルスはデングウイルスであり、前記フラビウイルス組成物は水性の液体の形態にある、フラビウイルス組成物。
【請求項２】
前記血清アルブミンが、脊椎動物種由来である、請求項１に記載のフラビウイルス組成物。
【請求項３】
トレハロースの濃度が少なくとも１０％（ｗ／ｖ）である、請求項１に記載のフラビウイルス組成物。
【請求項４】
トレハロースの濃度が少なくとも１５％（ｗ／ｖ）である、請求項３に記載のフラビウイルス組成物。
【請求項５】
トレハロースの濃度が１０％〜１５％（ｗ／ｖ）である、請求項１に記載のフラビウイルス組成物。
【請求項６】
血清アルブミンの濃度が０．１％〜３．０％（ｗ／ｖ）である、請求項１に記載のフラビウイルス組成物。
【請求項７】
弱毒生フラビウイルス組成物の不活化を低減させるための方法であって、１種または複数の弱毒生フラビウイルスを、０．０１〜３．０％（ｗ／ｖ）の濃度の血清アルブミン、および５〜５０％（ｗ／ｖ）の濃度のトレハロースを含む組成物と組み合わせるステップを含み、ここで前記組成物は、前記弱毒生フラビウイルスの不活化を低減させることが可能であり、（ｉ）血清アルブミンと（ｉｉ）トレハロースとの組合せが前記弱毒生フラビウイルスの不活化を低減させる有効成分であり、前記弱毒生フラビウイルスはデングウイルスであり、前記組成物は水性の液体の形態にある、方法。
【請求項８】
前記組成物が、水性フラビウイルス組成物の貯蔵寿命を延ばす、請求項７に記載の方法。
【請求項９】
前記組成物が、水性の弱毒生フラビウイルスの不活化を２４時間以上にわたり低減させる、請求項７に記載の方法。
【請求項１０】
前記組成物が、水性の弱毒生フラビウイルスの不活化を、複数の凍結解凍サイクルの間に低減させる、請求項７に記載の方法。
【請求項１１】
前記フラビウイルス組成物が、デングウイルスへの曝露に起因する健康状態の発症を低減させるかまたは前記健康状態を予防するために被験者に投与されるためのものである、請求項７に記載の方法。
【請求項１２】
前記健康状態がデング熱である、請求項１１に記載の方法。
【請求項１３】
トレハロースの濃度が少なくとも１０％（ｗ／ｖ）である、請求項７に記載の方法。
【請求項１４】
トレハロースの濃度が少なくとも１５％（ｗ／ｖ）である、請求項１３に記載の方法。
【請求項１５】
トレハロースの濃度が１０％〜１５％（ｗ／ｖ）である、請求項７に記載の方法。
【請求項１６】
血清アルブミンの濃度が０．１％〜３．０％（ｗ／ｖ）である、請求項７に記載の方法。